(57)【要約】【課題】ブラシ型の液塗布部について、機能の改善を図る。【解決手段】細目の液塗布部材を用いることによって、使用者が塗布対象の毛に対して丁寧な化粧操作も、細かい化粧操作や、ボリューム塗り化粧操作を鏡写りの邪魔にならないように行うことができる。【選択図】図２
2012161415.tif 000002
【特許請求の範囲】
【請求項１】
細目のシャフトの先端から液塗布部材を構成する細目のブラシ本体を突出させてなる液塗布部を有し、
上記ブラシ本体は芯材の先端部分を折り返すことにより互いに対向する当該折返し部分の毛材間に空所を形成し、
上記液塗布部を塗布液容器からしごき部材によってしごきながら引き抜く際に上記空所に塗布液をしごき残す
ことを特徴とする液塗布具。
【請求項２】
細目のシャフトの先端から液塗布部材を構成する細目のブラシ本体を突出させてなる液塗布部を有し、
上記ブラシ本体の芯材は先端方向に行くに従って上記シャフトの中心線を中心にして横方向に波形状又はらせん形状を形成することにより当該波形状要素の毛材間又はらせん形状の毛材の内側に空所を形成し、
上記液塗布部を塗布液容器からしごき部材によってしごきながら引き抜く際に上記空所に塗布液をしごき残す
ことを特徴とする液塗布具。
【請求項３】
細目のシャフトの先端から液塗布構造子を突出させてなる液塗布部を有し、
上記液塗布構造子は液塗布部材を構成する細目の複数のブラシ本体を有し、
上記複数のブラシ本体の芯材は互いに対向しながら先端方向に突出することにより互いに対向する毛材間に空所を形成し、
上記液塗布部を塗布液容器からしごき部材によってしごきながら引き抜く際に上記液塗布構造子の上記空所に塗布液をしごき残す
ことを特徴とする液塗布具。
【請求項４】
細目のシャフトの先端から液塗布構造子を突出させてなる液塗布部を有し、
上記液塗布構造子は液塗布部材を構成する細目の複数のブラシ本体を有し、
上記複数のブラシ本体を囲む位置に、当該複数のブラシ本体の芯材と対向するように、複数のしごき孔拡張部材が設けられ、
上記液塗布部を塗布液容器からしごき部材によってしごきながら引き抜く際に、上記しごき部材のしごき孔を上記複数のしごき孔拡張部材によって押し拡げることにより上記複数のブラシ本体の毛材間及び周囲の空所に塗布液をしごき残す
ことを特徴とする液塗布具。
【請求項５】
細目のシャフトの先端から液塗布構造子を突出させてなる液塗布部を有し、
上記液塗布構造子は、細目の２本の液塗布部材を上記シャフトの先端から互いに対向しながら上記シャフトの中心線に沿って突出し、
上記液塗布部を塗布液容器からしごき部材によってしごきながら引き抜く際に、上記しごき部材のしごき孔を上記２本の液塗布部材によって押し拡げることにより上記２本の液塗布部材間の空所に塗布液をしごき残す
ことを特徴とする液塗布具。
【発明の詳細な説明】
【技術分野】
【０００１】
本発明は液塗布具に関し、例えばマスカラブラシのように塗布対象毛にマスカラのような塗布液を塗布する場合に適用して好適なものである。
【背景技術】
【０００２】
従来、この種の液塗布具、例えばマスカラブラシとして、塗布液をブラシに付着させてマスカラ液をまつ毛に塗布するものが用いられている（特許文献１参照）。
【０００３】
この場合、マスカラブラシとしての液塗布具Ｒ１は、図１に基本的構成を示すうように、塗布液容器Ｒ２の取出口Ｒ３から、キャップＲ４に固着されたシャフトＲ５の先端に設けられたブラシ毛材Ｒ６Ａを有するブラシ本体Ｒ６を出し入れすることにより、ブラシ本体Ｒ６を塗布液としてのマスカラ液に浸して外部に取り出すようになされている。
【０００４】
取出口Ｒ７の内側には、柔軟性をもったゴム材料でなる円環状のしごき部材Ｒ７が設けられ、ブラシ本体Ｒ６を取出口Ｒ３から引き抜くとき、シャフトＲ５及びブラシ本体Ｒ６の周囲に付着している余分な塗布液をしごき部材Ｒ７のしごき孔によってしごき落とすことにより、外部に取り出したシャフトＲ５やブラシ本体Ｒ６から塗布液をぼた落ちさせないように構成されている。
【先行技術文献】
【特許文献】
【０００５】
【特許文献１】特開平５−２２８０１８号公報
【発明の概要】
【発明が解決しようとする課題】
【０００６】
ところで、この種の液塗布具を用いて使用者が鏡を使って自分で化粧操作をしようとする場合、シャフトＲ５やブラシ本体Ｒ６が太いと、使用者が鏡に写ったまつ毛のうちマスカラ液を塗布したいと考えている部位のまつ毛が、当該シャフトＲ５やブラシ本体Ｒ６が邪魔になって見えない（これを鏡写りの邪魔という）ために、思ったような化粧操作ができない問題がある。
【０００７】
特に近年においては、マスカラ液を上まつ毛の中央部の比較的長い毛に塗布するばかりではなく、下まつ毛の細くかつ短い毛や、目頭や目尻のような窪んだ部位にある短い毛まで丁寧に塗布しようとする傾向があり（これを細かい塗布操作という）、当該細かい塗布操作をシャフトＲ５やブラシ本体Ｒ６によって邪魔されることなく目視確認しながら化粧操作ができるような液塗布具が望ましい。
【０００８】
本発明は以上の点を考慮してなされたもので、細くかつ短い塗布対象毛に対しても、丁寧に、細かく塗布液を塗布できるようにしたブラシ構成の液塗布具を提案しようとするものである。
【課題を解決するための手段】
【０００９】
かかる課題を解決するため本発明においては、請求項１の発明について、       細目のシャフト３の先端から液塗布部材を構成する細目のブラシ本体４を突出させてなる液塗布部１、１Ａ、１Ｂ、１Ｃ、１Ｄ、１Ｅ、１Ｆ、１Ｇを有し、ブラシ本体４は芯材の先端部分を折り返すことにより互いに対向する当該折返し部分の毛材間（６Ｘ１及び６Ｘ２間）、（６Ｘ２１及び６Ｘ２２−６Ｘ２３間）、（６Ｘ３１及び６Ｘ３２−６Ｘ３３）、（６Ｘ４１及び６Ｘ４２−６Ｘ４３間）、（６Ｘ５１及び６Ｘ５２−６Ｘ５３間）、（６Ｘ６１及び６Ｘ５２間）、（６Ｘ７１及び６Ｘ７２−６Ｘ７３間）、（６Ｘ８１−６Ｘ８２−６Ｘ８３及び６Ｘ８４−６Ｘ８５−６Ｘ８６−６Ｘ８７間）に空所を形成し、液塗布部を塗布液容器Ｒ２からしごき部材Ｒ７によってしごきながら引き抜く際に上記空所に塗布液をしごき残すようにする。
【００１０】
また、請求項２について、細目のシャフト３の先端から液塗布部材を構成する細目のブラシ本体４を突出させてなる液塗布部１Ｈ１を有し、ブラシ本体４の芯材５は先端方向に行くに従ってシャフト３の中心線を中心にして横方向に波形状５Ｙ１１、５Ｙ１２又はらせん形状５Ｙ１３を形成することにより当該波形状要素の毛材６Ｙ１１、６Ｙ１２間又はらせん形状の毛材６Ｙ１３の内側に空所を形成し、液塗布部１Ｈ２を塗布液容器Ｒ２からしごき部材Ｒ７によってしごきながら引き抜く際に上記空所に塗布液をしごき残すようにする。
【００１１】
さらに、請求項３について、細目のシャフト３の先端から液塗布構造子１０を突出させてなる液塗布部（１Ｊ１、１Ｊ２、１Ｊ３、１Ｊ４、１Ｊ５、１Ｊ６、１Ｊ７、１Ｊ８）を有し、液塗布構造子１０は液塗布部材を構成する細目の複数のブラシ本体（４Ａ、４Ｂ）、（４Ａ、４Ｂ、４Ｃ）を有し、この複数のブラシ本体（４Ａ、４Ｂ）、（４Ａ、４Ｂ、４Ｃ）の芯材（５Ａ、５Ｂ）、（５Ａ、５Ｂ、５Ｃ）は互いに対向しながら先端方向に突出することにより互いに対向する毛材（６Ａ１、６Ｂ１）、（６Ａ１、６Ｂ１、６Ｃ１）間に空所を形成し、液塗布部１Ｋ１を塗布液容器Ｒ２からしごき部材Ｒ７によってしごきながら引き抜く際に液塗布構造子１２Ａの上記空所に塗布液をしごき残すようにする。
【００１２】
またさらに、請求項４について細目のシャフト３の先端から液塗布構造子１２Ａ、１２Ｂを突出させてなる液塗布部１Ｋ１、１Ｋ２を有し、液塗布構造子１２Ａ、１２Ｂは液塗布部材を構成する細目の複数のブラシ本体（４Ａ、４Ｂ）を有し、当該複数のブラシ本体（４Ａ、４Ｂ）を囲む位置に、当該複数のブラシ本体（４Ａ、４Ｂ）の芯材（５Ａ１、５Ｂ１）と対向するように、複数のしごき孔拡張部材（１３Ｌ１、１３Ｌ２）、（１３Ｌ１１〜１３Ｌ１４）が設けられ、液塗布部１Ｋ１、１Ｋ２を塗布液容器Ｒ２からしごき部材Ｒ７によってしごきながら引き抜く際に、しごき部材Ｒ７のしごき孔を複数のしごき孔拡張部材（１３Ｌ１、１３Ｌ２）、（１３Ｌ１１〜１３Ｌ１４）によって押し拡げることにより複数のブラシ本体（４Ａ、４Ｂ）の毛材間（６Ａ１、６Ｂ１）及びその周囲の空所に塗布液をしごき残すようにする。
【００１３】
またさらに、請求項５について、細目のシャフト３の先端から液塗布構造子２２１Ａ、２１Ｂを突出させてなる液塗布部１Ｍ１、１Ｍ２を有し、液塗布構造子２１Ａ、２１Ｂは、細目の２本の液塗布部材（２２Ａ、２２Ｂ）、（２２Ｂ、２２Ｃ）をシャフト３の先端から互いに対向しながらシャフト３の中心線に沿って突出し、液塗布部１Ｍ１、１Ｍ２を塗布液容器Ｒ２からしごき部材Ｒ７によってしごきながら引き抜く際に、しごき部材Ｒ７のしごき孔を上記２本の液塗布部材（２２Ａ、２２Ｂ）、（２２Ｂ、２２Ｃ）によって押し拡げることにより上記２本の液塗布部材（２２Ａ、２２Ｂ）、（２２Ｂ、２２Ｃ）間の空所に塗布液をしごき残すようにする。
【発明の効果】
【００１４】
本発明によれば、細目のシャフトの先端から、間ないし周囲に、塗布液容器のしごき部材が塗布液をしごき残すような空所を形成する、細目の液塗布部材を突出させた構成の液塗布具を得るようにしたことにより、使用者が、当該液塗布具を使って、塗布対象の毛に対して、鏡写りの邪魔を受けないで、丁寧に、細かい化粧操作やボリューム塗り化粧操作をすることができる。
【図面の簡単な説明】
【００１５】
【図１】本発明による液塗布具の基本構成の説明に供する斜視図である。
【図２】本発明の第１の実施の形態の第１の実施例による液塗布部を示す斜視図である。
【図３】図２のブラシ本体４の基本構成を示す略線的側面図である。
【図４】第２の実施例を示す斜視図である。
【図５】第３の実施例を示す斜視図である。
【図６】第４の実施例を示す斜視図である。
【図７】第５の実施例を示す斜視図である。
【図８】第６の実施例を示す斜視図である。
【図９】第７の実施例を示す斜視図である。
【図１０】第８の実施例を示す斜視図である。
【図１１】本発明の第２の実施の形態の第１の実施例による液塗布部を示す斜視図である。
【図１２】第２の実施例を示す斜視図である。
【図１３】本発明の第３の実施の形態の第１の実施例による液塗布部を示す斜視図及び断面図である。
【図１４】第２の実施例を示す斜視図及び断面図である。
【図１５】第３の実施例を示す斜視図及び断面図である。
【図１６】第４の実施例を示す斜視図及び断面図である。
【図１７】第５の実施例を示す斜視図及び断面図である。
【図１８】第６の実施例を示す斜視図である。
【図１９】第７の実施例を示す斜視図である。
【図２０】第８の実施例を示す斜視図である。
【図２１】本発明による第４の実施の形態の第１の実施例による液塗布部を示す斜視図及び断面図である。
【図２２】第２の実施例を示す斜視図及び断面図である。
【図２３】本発明の第５の実施の形態の第１の実施例による液塗布部を示す斜視図である。
【図２４】第２の実施例を示す斜視図である。
【発明を実施するための形態】
【００１６】
以下図面について、本発明の一実施の形態を詳述する。
【００１７】
（１）第１の実施の形態
（１−１）第１の実施例
図２において、１は全体として第１の実施の形態の第１の実施例による液塗布部を示し、図１に示す基本的構成である液塗布具Ｒ１の塗布液容器Ｒ２に入れられている塗布液としてのマスカラ液を取り出して使用者のまつ毛に塗る。
【００１８】
液塗布部１は、図１のキャップＲ４に相当するキャップ２から突出するシャフト３の先端に、液塗布部材として、ブラシ本体４が設けられている。
【００１９】
ブラシ本体４の基本的な構成は、図３に示すように、１本のステンレス線を折り返すことにより一対の直線状の線材５Ａ及び５Ｂを用意し、当該一対の線材５Ａ及び５Ｂの間に細い合成繊維の毛でなる毛材６を矢印ａで示す方向に、間に隙間が生じないように１段又は複数段並べた状態で、線材５Ａ及び５Ｂの折り返し点を固定して両端を互いに捻じり合わせることにより、当該捻じり合わされた線材５Ａ及び５Ｂ間のら線状保持面７に合成繊維の毛を放射状に外方に突出させてなる毛材６を挟着保持する。
【００２０】
かくして毛材６は、互いに捻じり合わされた線材５Ａ及び５Ｂでなる芯材５を中心として毛を放射方向に突出してなるブラシ構造をもつ。
【００２１】
かかるブラシ構造のブラシ本体４は、芯材５の根元部分が合成樹脂材料でなるシャフト３の先端に設けられた固着孔に押込み固着されることにより、シャフト３の中心線に沿うようにその先端から前方に突出した状態に保持されている。
【００２２】
この実施の形態の場合、芯線５の直径は０．８〜０．９〔ｍｍ〕に選定され、かつ毛材６の直径は３．０〜５．０〔ｍｍ〕に選定され、かくしてシャフト３及びブラシ本体４は全体として細目形状に構成されている。
【００２３】
ここで、ブラシ本体４の芯材は、余り細すぎると横方向への剛性が失なわれて、いわゆるへらへらの状態になって、毛材６に付着させた塗布液をまつ毛に塗布するような化粧操作ができなくなることから、芯線５及び毛材の太さは、化粧操作ができる限界までに細目に選定されている。
【００２４】
ブラシ本体４を構成する芯材５は、シャフト３の先端から直線的に突出する芯材直線部５Ｘ１と、その先端側において横方向に折り返された芯材曲がり部５Ｘ２とで構成されている。
【００２５】
これに対応して、毛材６は、芯材直線部５Ｘ１に形成された毛材部分でなる直線状の毛材直線部６Ｘ１と、芯材曲がり部５Ｘ２に形成された毛材部分でなる横方向に折り返された毛材先端部６Ｘ２とで構成される。
【００２６】
以上の構成において、塗布液容器Ｒ７の取出口Ｒ３に設けられているしごき部材Ｒ７のしごき孔の内径は、シャフト３の表面に付着した塗布液をしごき落すのに十分なように、シャフト３の外径とほぼ同じ大きさの直径（この実施の形態の場合３〔ｍｍ〕程度）を有し、これにより液塗布部１のブラシ本体４は塗布液容器Ｒ２の取出口Ｒ３に差し込まれる際には、ブラシ本体４の先端部に形成されている毛材先端部６Ｘ２がしごき部材Ｒ７のしごき孔の内径より大きい大きさをもっていることから、当該しごき孔を押し拡げながら塗布液容器Ｒ２内に押し込まれ、これにより塗布液容器Ｒ２内の塗布液にブラシ本体４及びシャフト３が浸される。
【００２７】
この状態において、使用者がキャップ２を摘んでシャフト３及びブラシ本体４を取出口Ｒ３から引き抜くと、先ずシャフト３がしごき部材Ｒ７を通るときこれに付着した塗布液がしごき落されながら引き抜かれた後、ブラシ本体４がしごき部材Ｒ７を通る際に毛材直線部６Ｘ１の外側部分に付着している塗布液がしごき落とされる。
【００２８】
しかしながらブラシ本体４の芯材曲がり部５Ｘ２が芯材直線部５Ｘ１の先端と対向するように横方向に折り返されていることにより、当該折り返された芯材曲がり部５Ｘ２と芯材直線部５Ｘ１との間の空所にはしごき部材Ｒ７のしごき孔が届かないことにより、当該空所に溜まった塗布液がしごき残された状態で取出口Ｒ３から外部に取り出される。
【００２９】
以上の構成によれば、使用者は、塗布液容器Ｒ２から液塗布部１を引き抜いたとき、ブラシ本体４の毛材６の毛材直線部６Ｘ１内にしごき残されて溜まっている塗布液を、毛材６を横方向に構えてまつ毛をすくように化粧操作することにより当該まつ毛に塗布液を塗布することができる。
【００３０】
このとき毛材６、従って毛材直線部６Ｘ１は細目に選定されていることにより、毛の長さが短いことから、使用者は１本１本のまつ毛に注目しながら丁寧に塗布液を塗布する化粧操作がし易くなる。
【００３１】
これに加えて、毛材先端部６Ｘ２の内側には、芯材直線部５Ｘ１及び芯材曲がり部５Ｘ２間の空所に、しごき部材Ｒ７によってはしごき落されなかった比較的多量の塗布液が溜まっていることにより、シャフト３及びブラシ本体４の直線部分をまつ毛に向かう方向に縦方向に構えて、毛材先端部６Ｘ２を用いてまつ毛を塗る操作をすることにより、塗布したいまつ毛の部分、例えば上まつ毛の１本１本の毛や、下まつ毛の細く短い毛や、凹凸が大きい目頭又は目尻の細くかつ短い毛に対して、細かい化粧操作をすることができる。
【００３２】
このとき、毛材先端部６Ｘ２を構成する毛材６は、横方向に折り返されたとき、１本１本の毛の先端が折り返された方向に、外方向に拡がるように突出することにより、この毛の拡がり部分を利用して、凹凸が強い下まぶたや目頭や目尻の１本１本のまつ毛に対しても細かい化粧操作をすることができる。
【００３３】
このような細かい化粧操作をする際に、シャフト３及びブラシ本体４が全体として細目に構成されていることにより、使用者は鏡を用いて塗りたいまつ毛の部位をシャフト３やブラシ本体４に邪魔されずに（すなわち鏡写りの邪魔をされずに）目視することができるので、容易に思うような化粧操作をすることができる。
【００３４】
（１−２）第２の実施例
図４において、１Ａは第１の実施の形態の第２の実施例による液塗布部を示し、図２との対応部分に同一符号を付して示すように、第１の実施例の場合の芯材曲がり部５Ｘ２と同様に、芯材５の芯材曲がり部５Ｘ２２を横方向に折り返すと共に、芯材５の折り返し先端部分をさらに芯材直線部５Ｘ２１と対向させながら延長させてなる心材対向部５Ｘ２３を形成する。
【００３５】
かくして図４の場合の液塗布部１Ａは、毛材先端部６Ｘ２２の毛材６の毛が芯材曲がり部５Ｘ２２の折れ曲がりに対応して先端外方に拡がった後、芯材対向部５Ｘ２３の毛材６でなる毛材対向部６Ｘ２３が毛材直線部６Ｘ２１と対向するように折り返される。
【００３６】
図４の構成において、液塗布部１Ａの使用者がシャフト３及びブラシ本体４を塗布液容器Ｒ２から引き抜いたとき、しごき部材Ｒ７のしごき孔によってシャフト３に付着した塗布液と毛材直線部６Ｘ２１の外側部分に付着した塗布液がしごき落された後、毛材対向部５Ｘ２３がしごき孔を通過する際に毛材直線部６Ｘ２１及び毛材対向部６Ｘ２３がしごき孔を押し拡げることによりその外側部分に付着した塗布液がしごき落される。
【００３７】
しかしながら、芯材５の芯材直線部５Ｘ２１と、芯材先端部５Ｘ２２と芯材対向部５Ｘ２３との間の空所は、しごき部材７Ｒのしごき孔によるしごきを受けないので、多量の塗布液が残る。
【００３８】
図４の構成によれば、毛材直線部６Ｘ２１の内部にしごき落されずに残った塗布液は、当該毛材直線部６Ｘ２１が細目に構成されていることにより毛材６の長さが短いことから、例えば上まつ毛の１本１本の毛に注目しながら丁寧に塗布液を塗布する化粧操作に用いることができる。
【００３９】
これに加えて、ブラシ本体４の毛材先端部６Ｘ２２に残った塗布液は、使用者がシャフト３及びブラシ本体４をまつ毛に向けて縦方向に構えて下まつ毛の細くかつ短い毛や、凹凸が大きい目頭又は目尻の細くかつ短い毛に対して細かい化粧操作をすることに用いることができる。
【００４０】
また、芯材対向部５Ｘ２３と芯材直線部５Ｘ２１との間の空所に多量に残った塗布液は、シャフト３及びブラシ本体４を横に構えて化粧操作することにより、毛材対向部６Ｘ２３及び毛材直線部６Ｘ２１によって例えば上まつ毛に濃く塗布される（これをボリューム塗りという）。
【００４１】
これに加えて、シャフト２及びブラシ本体４が全体として細目に構成されていることにより、これが鏡写りの邪魔になるおそれを有効に回避しながら、下まつ毛や目頭及び目尻の細くかつ短いまつ毛に対する細かい化粧操作とボリューム塗り化粧操作とを行うことができる。
【００４２】
（１−３）第３の形態
図５において、１Ｂは第１の実施の形態の第３の実施例による液塗布部を示し、図４との対応部分に同一符号を付して示すように、芯材５の先端部分を折り返すように折り曲げることにより芯材直線部５Ｘ３１の先端に芯材曲がり部５Ｘ３２を形成すると共に、折れ曲がり先端部分を芯材対向部５Ｘ３３として芯材直線部５Ｘ３１と平行にかつ図３の場合の芯材対向部５Ｘ２３より長く延長させる。
【００４３】
かくして芯材曲がり部５Ｘ３２の毛材６でなる毛材先端部６Ｘ３２の毛は先端外方に拡がるように形成されると共に、芯材対向部５Ｘ３３の毛材６でなる毛材対向部６Ｘ３３が毛材直線部６Ｘ３１と対向するように形成される。
【００４４】
図５の構成によれば、ブラシ本体４が細目に構成されていることにより、毛材直線部６Ｘ３１及び毛材対向部６Ｘ３３の毛の長さが短いことから、１本１本のまつ毛に対して丁寧な化粧操作をすることができる。
【００４５】
また、図４の場合と同様にして、毛材先端部６Ｘ３２の内側にしごかれずに残った塗布液を用いて、下まつ毛や目頭及び目尻の細くかつ短いまつ毛に対して細かい化粧操作をすることができる。
【００４６】
これに加えて、図５の場合は、芯材対向部５Ｘ３３が長い範囲に亘って芯材直線部５Ｘ３１と対向していることにより、当該対向部分にしごき残されたさらに多量の塗布液を使って毛材直線部６Ｘ３１及び毛材対向部６Ｘ３３によって、上まつ毛の太くかつ長い毛に対して容易にボリューム塗り化粧操作をすることができる。
【００４７】
かくするにつき、シャフト３及びブラシ本体４が全体として細目に構成されていることにより、化粧操作時の鏡写りの邪魔にならないようにし得る。
【００４８】
（１−４）第４の実施例
図６において、１Ｃは第１の実施の形態の第４の実施例の液塗布部を示し、図５との対応部分に同一符号を付して示すように、折り返された芯材５の芯材曲がり部５Ｘ４２によって芯材直線部５Ｘ４１と対向するように延長する芯材対向部５Ｘ４３を、横方向に外側に膨らむように湾曲させた構成を有する。
【００４９】
これにより、芯材曲がり部５Ｘ４２に形成された毛材６でなる毛材先端部６Ｘ４２は横方向に外方に拡がるように形成されると共に、芯材対向部５Ｘ４３の毛材６でなる毛材対向部６Ｘ４３と毛材６の毛材直線部６Ｘ４１との間に大きい空所ができる。
【００５０】
図６の構成において、しごき部材Ｒ７を通してシャフト３及びブラシ本体４が引き抜かれたとき、シャフト３及びブラシ本体４の外側に付着した塗布液はしごき部材Ｒ７のしごき孔によってしごき落とされるのに対して、芯材対向部５Ｘ４３が外側に膨出していることによりしごき部材Ｒ７のしごき孔を押し拡げて当該膨出部分に多量の塗布液を残す。
【００５１】
かくして図６の構成によれば、図５について上述したと同様に、細目に構成された毛材直線部６Ｘ４１及び毛材対向部６Ｘ４３の短い毛によってまつ毛に対する丁寧な化粧操作をすることができると共に、毛材６が横方向に外方に拡がるように形成された毛材先端部６Ｘ４２によって下まつ毛や目尻及び目頭のまつ毛に対して細かい化粧操作ができ、さらに毛材直線部５Ｘ４１と毛材対向部６Ｘ４３との間に残った塗布液によって上まつ毛に対してボリューム塗り化粧操作をすることができる。
【００５２】
かくするにつき、シャフト３及びブラシ本体４が全体として細目に構成されていることにより、これが使用者の鏡写りの邪魔にならないようにできる。
【００５３】
（１−５）第５の実施例
図７において、１Ｄは第１の実施の形態の第５の実施例による液塗布部を示し、図６との対応部分に同一符号を付して示すように、毛材直線部６Ｘ５１の先端位置において、芯材５の先端側部分をそのほぼ中間位置において芯材直線部５Ｘ５１と対向するように折り返すことにより芯材曲がり部５Ｘ５２を形成した後、芯材対向部５Ｘ５３をシャフト３の先端に届くような長さで横方向に外方に湾曲させた構成を有する。
【００５４】
かくして、芯材曲がり部５Ｘ５２の毛材６の毛は横方向に外方に拡がる毛材先端部６Ｘ５２を形成すると共に、芯材対向部５Ｘ５３の毛材６は毛材直線部６Ｘ５１との間に図６の場合よりさらに大きい空所を形成する。
【００５５】
図７の構成において、シャフト３及びブラシ本体４のしごき部材Ｒ７から引き抜かれたとき、シャフト３及びブラシ本体４の外側部分に付着した塗布液はしごき部材Ｒ７のしごき孔によってしごき落とされる。
【００５６】
このとき芯材対向部５Ｘ５３は外側に湾曲していることによりしごき孔を押し拡げて、当該芯材対向部５Ｘ５３と芯材直線部５Ｘ５１との間の空所に多量の塗布液を残す状態になる。
【００５７】
図７の構成によれば、細目に構成された毛材直線部６Ｘ５１及び毛材対向部６Ｘ５３の短い毛によって１本１本のまつ毛に対する丁寧な化粧操作をすることができると共に、芯材曲がり部５Ｘ５２に残った塗布液によって毛材先端部６Ｘ５２を用いて下まつ毛や目尻及び目頭のまつ毛に対する細かい化粧操作をすることができる。
【００５８】
これに加えて芯材対向部５Ｘ５３と芯材直線部５Ｘ５１との間に残った多量の塗布液を用いて、当該毛材対向部６Ｘ５３と毛材直線部６Ｘ５１により上まつ毛に対してボリューム塗り化粧操作を行うことができる。
【００５９】
かくするにつき、シャフト３及びブラシ本体４を全体として細目に構成したことにより、これが使用者の鏡写りの邪魔にならないようにできる。
【００６０】
（１−６）第６の実施例
図８において、１Ｅは第１の実施の形態の第６の実施例による液塗布部を示し、図２との対応部分に同一符号を付して示すように、芯材５はシャフト３の先端から突出して横方向に湾曲した形状の芯材湾曲部５Ｘ６１を有すると共に、当該芯材湾曲部５Ｘ６１の先端に図１の場合と同様に横方向に折り返された形状を有する芯材曲がり部５Ｘ６２が形成されている。
【００６１】
かくして、芯材湾曲部５Ｘ６１の毛材６は横方向に湾曲する毛材湾曲部６Ｘ６１と、芯材曲がり部５Ｘ６２から外方に拡がるように形成された毛材６でなる毛材先端部６Ｘ６２とが形成される。
【００６２】
図８の構成によれば、液塗布部１Ｅの使用者は、図１について上述したと同様にして、ブラシ本体４が細目の毛材６の短い毛によって構成されていることにより１本１本のまつ毛に対して丁寧な化粧操作をすることができると共に、ブラシ本体４の先端部分に形成された毛材先端部６Ｘ６２によって下まつ毛、目頭、目尻のまつ毛に対して細かい化粧操作をすることができ、さらに毛材湾曲部６Ｘ６１の湾曲形状を利用して上まつ毛に対する化粧操作をすることができる。
【００６３】
かくするにつき、シャフト３及びブラシ本体４が全体として細目に構成されていることにより、これが化粧操作時の鏡写りの邪魔にならないようにし得る。
【００６４】
（１−７）第７の実施例
図９において、１Ｆは第１の実施の形態の第７の実施例による液塗布部を示し、図５との対応部分に同一符号を付して示すように、芯材５は、シャフト３の先端から直線状に突出する芯材直線部５Ｘ７１の先端において横方向に折れ曲がる第１芯材曲がり部５Ｘ７２を有し、当該第１芯材曲がり部５Ｘ７２から直線状に横方向に延長する芯材横断部５Ｘ７３の延長端が第２芯材曲がり部５Ｘ７４を介して芯材直線部５Ｘ７１と対向するように直線状に折り返された芯材対向部５Ｘ７５を形成している。
【００６５】
芯材対向部５Ｘ７５の延長端は、シャフト３に近づく位置にまで延長し、かくして芯材５は全体としてシャフト３の先端において三角形状の空所を囲むように形成されている。
【００６６】
かくして毛材６は、芯材直線部５Ｘ７１に従って直線的に突出する毛材直線部６Ｘ７１の先端より、芯材横断部５Ｘ７３による毛材横断部６Ｘ７２を通って芯材対向部５Ｘ７５による毛材対向部６Ｘ７３に続くような、全体として三角形状をもつように成形されている。
【００６７】
図９の構成において、使用者が当該三角形状のブラシ本体４を塗布液容器Ｒ２から引き抜く際に、シャフト３がしごき部材Ｒ７を通るとき当該シャフト３に付着した塗布液がしごき落とされた後、ブラシ本体４がしごき部材Ｒ７を通るとき、三角形状を有する芯材５及び毛材６によって当該しごき孔を押し拡げながら引き抜かれて行くことにより、毛材６及びその三角形状の内側の空所に溜まった塗布液のうち、毛材６の外側の部分がしごき孔によってしごき落とされるのに対して、他の部分の塗布液はブラシ本体４に保持された状態で外部に取り出される。
【００６８】
図９の構成によれば、三角形状のブラシ本体４を形成する毛材直線部６Ｘ７１、毛材横断部６Ｘ７２及び毛材対向部６Ｘ７３が細目に構成されていることにより、これらの短い毛材を用いてまつ毛に対する丁寧な化粧操作を行うことができる。
【００６９】
これと共に、毛材６の三角形状の空所に溜った塗布液を用いて、使用者はブラシ本体４の先端にある毛材横断部６Ｘ７２や、その両端にある毛材直線部６Ｘ７１及び毛材対向部６Ｘ７３によって上まつ毛のボリューム塗りを行うことができると共に、第１及び第２芯材曲がり部５Ｘ７２及び５Ｘ７４の部分の毛材６でなる第１及び第２毛材先端部６Ｘ７４及び６Ｘ７５によって下まつ毛や目頭及び目尻の細く短いまつ毛に対して細かい化粧操作することができる。
【００７０】
かくするにつき、シャフト３及びブラシ本体４を全体として細目に構成したことにより、使用者の鏡写りの邪魔にならないようにできる。
【００７１】
（１−８）第８の実施例
図１０において、１Ｇは第１の実施の形態の第８の実施例による液塗布部を示し、図９との対応部分に同一符号を付して示すように、シャフト３の先端にひょうたん型形状のブラシ本体４を有する。
【００７２】
ブラシ本体４の芯材５は、シャフト３の先端から突出してから外側に湾曲する第１芯材外側湾曲部５Ｘ８１に続いてさらに内側に湾曲する芯材内側湾曲部５Ｘ８２を経て再び外側に湾曲する第２芯材外側湾曲部５Ｘ８３に続く。
【００７３】
芯材５は、当該第２芯材外側湾曲部５Ｘ８３の先端において横方向に折り返されることにより、芯材曲がり部５Ｘ８４を形成する。
【００７４】
芯材曲がり部５Ｘ８４は、第２芯材外側湾曲部５Ｘ８３と対向しながら外側に湾曲する第２芯材外側対向部５Ｘ８５を通って芯材内側湾曲部５Ｘ８２と対向するように内側に湾曲する芯材内側対向部５Ｘ８６に続き、さらに第１芯材外側湾曲部５Ｘ８１と対向するように外側に湾曲する第１芯材対向部５Ｘ８７に続く。
【００７５】
かくして芯材５は、第１芯材外側湾曲部５Ｘ８１と第１芯材外側対向部５Ｘ８７との間に大きい空所を形成すると共に、第２芯材外側湾曲部５Ｘ８３と第２芯材外側対向部５Ｘ８５との間に大きい空所を形成する。
【００７６】
図１０の構成において、液塗布部１Ｇが塗布液容器Ｒ２から引き抜かれたとき、シャフト３がしごき部材Ｒ７によってしごかれた後、ひょうたん型のブラシ本体４がしごき部材Ｒ７のしごき孔を通過するとき、第１芯材外側湾曲部５Ｘ８１及び第１芯材外側対向部５Ｘ８７の湾曲部分と、第２芯材外側湾曲部５Ｘ８３及び第２芯材外側対向部５Ｘ８５の湾曲部分とがしごき孔を押し拡げることにより、第１芯材外側湾曲部５Ｘ８１及び第１芯材外側対向部５Ｘ８７の毛材６でなる第１毛材外側湾曲部６Ｘ８１及び第１毛材外側対向部６Ｘ８７の外側部分に付着している塗布液と、第２芯材外側湾曲部５Ｘ８３及び第２芯材外側対向部５Ｘ８５の毛材６でなる第２毛材外側湾曲部６Ｘ８３及び第２毛材外側対向部６Ｘ８５の外側部分に付着している塗布液とがしごき孔によってしごき落とされる。
【００７７】
しかしながら、ブラシ本体４のその他の部分に溜まっている塗布液は、しごき部材Ｒ７のしごき孔が届かないので引き出されたブラシ本体４に残る。
【００７８】
すなわち毛材６の毛材外側湾曲部６Ｘ８１、６Ｘ８３と毛材外側対向部６Ｘ８７、６Ｘ８５との間に形成された２つの空所と、当該２つの空所の間の毛材内側湾曲部６Ｘ８２と毛材内側対向部６Ｘ８６の外側に形成された２つの窪みには多量の塗布液がしごき残される。
【００７９】
図１０の構成によれば、使用者は、ひょうたん型のブラシ本体４を形成する毛材６が細目に構成されていることにより、当該短い毛によってまつ毛に対する丁寧な化粧操作を行うことができる。
【００８０】
これと共に、毛材曲がり部６Ｘ８４にしごき残された塗布液を用いて、当該毛材曲がり部６Ｘ８４によって下まつ毛や目頭及び目尻の細く短いまつ毛に対して細かい化粧操作をすることができる。
【００８１】
これと共に、２つの外側湾曲部分の毛材、すわなち第１毛材外側湾曲部６Ｘ８１及び第１毛材外側対向部６Ｘ８７と、第２毛材外側湾曲部６Ｘ８３及び第２毛材外側対向部６Ｘ８５とによって、対応する空所にしごき残された多量の塗布液によって太くかつ長い上まつ毛に対するボリューム塗り化粧操作を行うことができる。
【００８２】
かくするにつき、シャフト３及びブラシ本体４を全体として細目に構成したことにより、鏡写りの邪魔にならないようにできる。
【００８３】
（２）第２の実施の形態
（２−１）第１の実施例
図１１において、１Ｈ１は第２の実施の形態の第１の実施例による液塗布部を示し、図２との対応部分に同一符号を付して示すように、ブラシ本体４の芯材５は、シャフト３から突出した後、先端方向に行くに従って横方向に波打つような形状（例えば正弦波形状に）を形成している。
【００８４】
芯材５はシャフト３から出て当該シャフト３の中心線上から右側に湾曲する芯材右側湾曲部５Ｙ１１を通る。
【００８５】
この芯材右側湾曲部５Ｙ１１の先端はシャフト３の中心線上に戻って来て次に左側に湾曲する芯材左側湾曲部５Ｙ１２に続く。
【００８６】
当該芯材左側湾曲部５Ｙ１２の先端はシャフト３の中心線上に戻って来て次の芯材右側湾曲部５Ｙ１１に続く。
【００８７】
以下同様にして芯材５は順次交互に芯材右側湾曲部５Ｙ１１と芯材左側湾曲部５Ｙ１２とに続いて行く。
【００８８】
かくして芯材５はシャフト３の先端から左右方向にうねるような形状を形成し、これに対応するように芯材右側湾曲部５Ｙ１１及び芯材左側湾曲部５Ｙ１２の毛材６でなる毛材右側湾曲部６Ｙ１１及び毛材左側湾曲部６Ｙ１２も左右方向にうねりながら先端方向に突出して行く。
【００８９】
図１１の構成において、シャフト３及びブラシ本体４が塗布液容器Ｒ２から引き抜かれたとき、シャフト３に付着している塗布液がしごき部材Ｒ７のしごき孔のよってしごき落とされた後、ブラシ本体４の毛材６がしごき部材Ｒ７のしごき孔を通過するとき、当該しごき孔は順次続く毛材右側湾曲部６Ｙ１１及び毛材左側湾曲部６Ｙ１２のうち、右側及び左側に突出した部分の毛材の外側に付着している塗布液をしごき落とすのに対して、シャフト３の中心線に近い部分に付着している塗布液は、しごき孔が届かないために、しごき落とされずに残る。
【００９０】
図１１の構成によれば、波型のブラシ本体４を形成する毛材６が細目に構成されていることにより、使用者は、その短い毛によってまつ毛に対する丁寧な化粧操作を行うことができる。
【００９１】
これと共に、一本の毛材６の途中において、横方向に突出する部分の間に介在している部分（すなわち毛材右側湾曲部６Ｙ１１の右側に突出した部分と毛材左側湾曲部６Ｙ１２の左側に突出した部分とをつなぐ部分）には、しごき部材Ｒ７のしごきが届かないことにより、引き出されたブラシ本体４の毛材６には多量の塗布液が溜まっている。
【００９２】
そこで、使用者は、当該ブラシ本体４に溜まっている多量の塗布液を利用して、上まつ毛のボリューム塗りを行うことができる。
【００９３】
また、毛材右側湾曲部６Ｙ１１及び毛材左側湾曲部６Ｙ１２の外側突出部分が大きく曲がっていることを利用して、下まつ毛や目頭及び目尻の細く短いまつ毛に対して細かい化粧操作をするとこができる。
【００９４】
かくするにつき、シャフト３及びブラシ本体４を細目に構成したことにより、使用者の鏡写りの邪魔にならないようにできる。
【００９５】
（２−２）第２の実施例
図１２において、１Ｈ２は第２の実施の形態の第２の実施例を示し、図１１との対応部分に同一符号を付して示すように、ブラシ本体４を構成する芯材５は、シャフト３の先端を出た後、当該シャフト３の中心線上を先端に行くに従って、当該中心線を中心として、らせん形状に折り曲げられた芯線らせん形状部５Ｙ１３を有する。
【００９６】
この芯線らせん形状部５Ｙ１３の毛材６は、芯材５がらせん形状に折り曲げられていることにより、同様にらせん形状をもつ毛材らせん形状部６Ｙ１３を形成する。
【００９７】
図１２の構成において、シャフト３及びブラシ本体４が塗布液容器Ｒ２から引き抜かれたとき、シャフト３に付着している塗布液がしごき部材Ｒ７によってしごき落とされた後、しごき部材Ｒ７のしごき孔をブラシ本体４が通過するとき、しごき部材Ｒ７のしごき孔は芯線らせん形状部５Ｙ１３の外周面によって外側に押し拡げられる。
【００９８】
かくして毛線らせん形状部６Ｙ１３の内側部分には、しごき部材Ｒ７のしごき孔が届かない空所が形成され、当該しごき孔によってしごかれない空所の塗布液がしごき落とされずに保持された状態で外部に取り出される。
【００９９】
図１２の構成によれば、らせん形状のブラシ本体４が細目に構成されていることにより、使用者はその短い毛によってまつ毛を丁寧に化粧操作することができる。
【０１００】
これと共に、毛材らせん形状部６Ｙ１３のらせん形状の内側には多量の塗布液が留っていることにより、これを用いて使用者は上まつ毛のボリューム塗り化粧操作を行うことができる。
【０１０１】
また毛材らせん形状部６Ｙ１３の外側に突出する毛は、芯線らせん形状部５Ｙ１3がらせん形状に折り曲げられていることにより、外方に放射状に拡がっており、当該拡がった毛材６の毛の部分によって下まつ毛や、目頭及び目尻の細く短いまつ毛に対して細かい化粧操作をすることができる。
【０１０２】
かくするにつき、シャフト３及びブラシ本体４を細目に構成したことにより使用者の鏡写りの邪魔にならないようにできる。
【０１０３】
（３）第３の実施の形態
（３−１）第１の実施例
図１３（Ａ）において、１Ｊ１は第３の実施の形態の第１の実施例による液塗布部を示し、図１との対応部分に同一符号を付して示すように、シャフト３の先端に液塗布構造子１０が設けられている。
【０１０４】
液塗布構造子１０はシャフト３の先端に固着された２組の細目のブラシ本体４Ａ及び４Ｂを組み合せた構造を有する。
【０１０５】
当該２組のブラシ本体４Ａ及び４Ｂは、図３について上述したと同様の基本構成を有し、それぞれ芯材５Ａ及び５Ｂから放射方向にらせん状に毛材６Ａ及び６Ｂの毛を突出保持してなる芯材直線部５Ａ１及び５Ｂ１を、シャフト３の中心線に沿って先端方向に突出させている。
【０１０６】
この実施の形態の場合、芯材５Ａ及び５Ｂは図１３（Ｂ）に示すように、芯材直線部５Ａ１及び５Ｂ１の毛材６Ａ及び６Ｂでなる毛材直線部６Ａ１及び６Ｂ１の内側の毛の先端部が互いに交差するような距離Ｄ１だけ間隔を保つ位置においてシャフト３の先端面に固着されており、これにより芯材５Ａ及び５Ｂはシャフト３の先端面から互いに平行に前方に突出するようになされている。
【０１０７】
図１３の構成において、シャフト３の先端面に固着された２組のブラシ本体４Ａ及び４Ｂは、その芯材５Ａ及び５Ｂが毛材６Ａ及び６Ｂの内側部分が互いに交差するような距離Ｄ１を保ちながら前方に突出していることにより、シャフト３及び液塗布構造体１０が塗布液容器Ｒ２から引き抜かれたとき、シャフト３に付着している塗布液がしごき部材Ｒ７のしごき孔によってしごき落とされた後、ブラシ本体４Ａ及び４Ｂの毛材６Ａ及び６Ｂの外側に付着している塗布液がしごき部材Ｒ７のしごき孔によってしごき落とされる。
【０１０８】
この実施の形態の場合、しごき部材Ｒ７のしごき孔はシャフト３の外周面に付着している塗布液をしごき落とす観点からシャフト３の直径の大きさに選定されているから、直線部６Ａ１及び６Ｂ１のうちシャフト３の直径の外側部分に付着した塗布液がしごき部材Ｒ７のしごき孔によってしごき落とされる。
【０１０９】
これに対してブラシ本体４Ａ及び４Ｂのうち、シャフト３の直径より内側にある部分に付着している塗布液はしごき部材Ｒ７のしごき孔が届かないことによりしごき落とされずにそのまま残ることになる。
【０１１０】
かくして、シャフト３の先端に取り付けられた液塗布構造体１０のうち、ブラシ本体４Ａ及び４Ｂの芯材５Ａ及び５Ｂ間に存在する空所に多量の塗布液がしごき落とされずに溜まった状態で塗布液容器Ｒ２から取り出される。
【０１１１】
図１３の構成によれば、細目に構成されたブラシ本体４Ａ及び４Ｂの毛材６Ａ及び６Ｂの毛が短いことから液塗布構造子１０の外側に突出する毛も短くなることにより、使用者は、当該短い毛を利用して上まつ毛や、下まつ毛並びに目頭又は目尻の細くかつ短い毛の１本１本に対して丁寧な化粧操作をすることができる。
【０１１２】
これと共に、２本の芯材５Ａ及び５Ｂ間の空所にしごき部材Ｒ７によってしごき落とされずに多量の塗布液が残るので、使用者はこれを用いて必要に応じてまつ毛に対してボリューム塗り化粧操作をすることができる。
【０１１３】
かくするにつき、ブラシ本体４Ａ及び４Ｂが細目に構成されていることから、液塗布構造体１０が全体として細目の構造にならないことにより、使用者の鏡写りの邪魔にならないようにすることができる。
【０１１４】
（３−２）第２の実施例
図１４において、１Ｊ２は第３の実施の形態の第２の実施例による液塗布部を示し、図１３との対応部分に同一符号を付して示すように、一対のブラシ本体４Ａ及び４Ｂの芯材５Ａ及び５Ｂの間隔を、図１３の場合と比較して十分に狭くなる状態でシャフト３の先端に固着されている。
【０１１５】
図１４の構成によれば、図１３の場合と比較して液塗布構造子１０Ａがさらに一段と細目に構成されていることにより、まつ毛に対して丁寧に、かつ細かい化粧操作をすることができると共に、芯材５Ａ及び５Ｂ間の空所を利用して多量の塗布液を溜めることができる。
【０１１６】
これに加えて図１４の場合は、芯材５Ａ及び５Ｂ間の間隔を一段と狭めたことにより、液塗布構造子１０Ａの全体としての太さを一段と細くできることにより、鏡写りの邪魔にならないようにできる。
【０１１７】
（３−３）第３の実施例
図１５において、１Ｊ３は第３の実施の形態の第３の実施例による液塗布部を示し、図１３との対応部分に同一符号を付して示すように、シャフト３の先端に設けられた液塗布構造子１０Ｂは、３本のブラシ本体４Ａ、４Ｂ及び４Ｃを有する。
【０１１８】
各ブラシ本体４Ａ、４Ｂ及び４Ｃの芯材５Ａ、５Ｂ及び５Ｃはそれぞれ芯材直線部５Ａ１、５Ｂ１及び５Ｃ１を有し、当該芯材直線部５Ａ１、５Ｂ１及び５Ｃ１がシャフト３の先端面において正三角形の頂点位置に固着された状態で互いに平行に前方に突出している。
【０１１９】
これにより芯材直線部５Ａ１、５Ｂ１及び５Ｃ１の毛材６Ａ、６Ｂ及び６Ｃでなる毛材直線部６Ａ１、６Ｂ１及び６Ｃ１が全体として三角筒状を形成している。
【０１２０】
図１５の液塗布部１Ｊ３において、液塗布構造子１０Ｂがシャフト３と共に塗布液容器Ｒ２から引き抜かれる際に、芯材５Ａ、５Ｂ及び５Ｃの外側のブラシ本体部分がしごき部材７Ａのしごき孔によってしごかれたとき、芯材５Ａ、５Ｂ及び５Ｃによって囲まれた空所に溜まった塗布液が多量にしごき残されて外部に取り出される。
【０１２１】
図１５の構成によれば、液塗布構造子１０Ｂが細目の３本のブラシ本体４Ａ、４Ｂ及び４Ｃによって構成されていることにより、使用者は各ブラシ本体４Ａ、４Ｂ及び４Ｃの短い毛を使って丁寧に、細かい化粧操作を行うことができる。
【０１２２】
これに加えて３本のブラシ本体４Ａ、４Ｂ及び４Ｃの三角筒状の内側に多量の塗布液をしごき残すことができることにより、使用者は必要に応じてまつ毛に対してボリューム塗り操作をすることができる。
【０１２３】
かくするにつき、シャフト３及びブラシ本体４Ａ、４Ｂ及び４Ｃ、従って液塗布構造子１０Ｂを全体として細目構造にしたことにより、鏡写りの邪魔にならないようにできる。
【０１２４】
（３−４）第４の実施例
図１６において、１Ｊ４は第３の実施の形態の第４の実施例による液塗布部を示し、図１３との対応部分に同一符号を付して示すように、一対の芯材５Ａ及び５Ｂの芯材直線部５Ａ１及び５Ｂ１の先端が横方向に外方に折り曲げられて芯材曲がり部５Ａ２及び５Ｂ２を形成した液塗布構造子１０Ｃをシャフト３の先端面に設けている。
【０１２５】
これにより芯材曲がり部５Ａ２及び５Ｂ２の毛材６Ａ及び６Ｂは芯材曲がり部５Ａ２及び５Ｂ２の横方向への曲がりに応じて横方向外方に突出するように拡がって毛材先端部６Ａ２及び６Ｂ２を毛材直線部６Ａ１及び６Ｂ１の先端に形成している。
【０１２６】
図１６の構成によれば、図１３について上述したと同様に芯材直線部５Ａ１及び５Ｂ１間に多量の塗布液がしごき残されることにより、当該塗布液を用いて細目のブラシ本体４Ａ及び４Ｂの短い毛による丁寧な、化粧操作と共に、多量にしごき残された塗布液によるボリューム塗り化粧操作をすることができる。
【０１２７】
これに加えて芯材曲がり部５Ａ２及び５Ｂ２がしごき部材Ｒ７を通過するとき、しごき孔を横方向に押し拡げることにより、当該芯材曲がり部５Ａ２及び５Ｂ２の内側に塗布液がしごき残されるので、使用者はシャフト３及び液塗布構造子１０Ｃを縦方向に構えて目頭及び目尻のまつ毛や下まつ毛に対して外側に拡がった毛材でなる毛材先端部６Ａ２及び６Ｂ２によって細かい化粧操作をすることができる。
【０１２８】
かくするにつき、シャフト３及びブラシ本体４Ａ及び４Ｂ、従って液塗布構造子１０Ｃを細目構造にしたことにより、鏡写りの邪魔にならないようにできる。
【０１２９】
（３−５）第５の実施例
図１７において、１Ｊ５は第３の実施の形態の第５の実施例による液塗布部を示し、図１５との対応部分に同一符号を付して示すように、３本のブラシ本体４Ａ、４Ｂ及び４Ｃの芯材５Ａ、５Ｂ及び５Ｃを外方に折り曲げて芯材曲がり部５Ａ２、５Ｂ２及び５Ｃ２を形成した液塗布構造子１０Ｄを有する。
【０１３０】
これにより当該芯材曲がり部５Ａ２、５Ｂ２及び５Ｃ２の毛材６Ａ、６Ｂ及び６Ｃによって毛材先端部６Ａ２、６Ｂ２及び６Ｃ２を形成している。
【０１３１】
図１７の構成によれば、図１５の場合と同様に三角筒状の毛材直線部６Ａ１、６Ｂ１及び６Ｃ１によって丁寧な化粧操作を、必要に応じたボリューム塗り化粧操作と共に、行うことができる。
【０１３２】
これと共に、外側に拡がるＡ、６Ｂ及び６Ｃを有する毛材先端部６Ａ２、６Ｂ２及び６Ｃ２によって目頭及び目尻のまつ毛や下まつ毛に対する細かい化粧操作をすることができる。
【０１３３】
かくするにつき、シャフト３及びブラシ本体４Ａ、４Ｂ及び４Ｃ従って液塗布構造子１０Ｄを細目構造にしたことにより、鏡写りの邪魔にならないようにできる。
【０１３４】
（３−６）第６の実施例
図１８において、１Ｊ６は第３の実施の形態の第６の実施例による液塗布部を示し、図１３との対応部分に同一符号を付して示すように、シャフト３の先端に２対のブラシ本体４Ａ及び４Ｂを有する液塗布構造子１０Ｅが設けられている。
【０１３５】
ブラシ本体４Ａ及び４Ｂの芯材５Ａ及び５Ｂは、シャフト３の先端から所定の間隔を保つように互いに対向しながら前方に突出している。
【０１３６】
かくしてシャフト３の先端を出た一対の芯材５Ａ及び５Ｂは横方向に外方に湾曲する芯材湾曲部５Ａ１１及び５Ｂ１１を有し、当該芯材湾曲部５Ａ１１及び５Ｂ１１の先端に、同じように横方向に折り返される芯材曲がり部５Ａ１２及び５Ｂ１２が形成されている。
【０１３７】
かくして芯材湾曲部５Ａ１１及び５Ｂ１１の毛材６Ａ及び６Ｂによって、互いに対向しながら全体としてアーチ状に湾曲する毛材湾曲部６Ａ１１及び６Ｂ１１が形成されると共に、その先端に芯材曲がり部５Ａ１２及び５Ｂ１２の毛材６Ａ及び６Ｂでなる毛材先端部６Ａ１２及び６Ｂ１２が形成されている。
【０１３８】
図１８の構成において、シャフト３及び液塗布構造子１０Ｅが塗布液容器Ｒ２から引き出されたとき、しごき部材Ｒ７は、毛材湾曲部６Ａ１１及び６Ｂ１１の外側部分に付着した塗布液をしごき落す。
【０１３９】
これに対して、毛材先端部６Ａ１２及び６Ｂ１２がしごき部材Ｒ７を通過するとき、その芯材曲がり部５Ａ１２及び５Ｂ１２によってしごき孔が押し拡げられることにより、毛材先端部６Ａ１２及び６Ｂ１２の外側部分に付着した塗布液がしごき落とされる。
【０１４０】
しかしながら、毛材湾曲部６Ａ１１及び６Ｂ１１間の空所と、毛材先端部６Ａ１２及び６Ａ１２間の空所と、毛材先端部６Ａ１２及び６Ｂ１２と毛材湾曲部６Ａ１１及び６Ｂ１１によって囲まれた空所とに溜った塗布液が、しごき部材Ｒ７のしごき孔によってはしごき落とされずに残って外部に取り出される。
【０１４１】
図１８の液塗布部１Ｊ６によれば、ブラシ本体４Ａ及び４Ｂが細目に構成されていることにより、その毛材４Ａ及び４Ｂの毛が短いことからまつ毛に対して丁寧な化粧操作をすることができると共に、外側に湾曲している毛材湾曲部６Ａ１１及び６Ｂ１１間の空所に溜まった多量の塗布液によって必要に応じてまつ毛にボリューム塗り化粧操作をすることができる。
【０１４２】
これに加えて、ブラシ本体４Ａ及び４Ｂの先端に形成された毛材先端部６Ａ１２及び６Ｂ１２の毛材６Ａが芯材曲がり部５Ａ１２及び５Ｂ１２の横方向への曲がりに応じて外側に拡がるように突出することにより、使用者はシャフト３及び液塗布構造子１０Ｅをまつ毛に対して縦方向に構えて化粧操作をすることにより、当該毛材先端部６Ａ１２及び６Ｂ１２の毛材を利用して凹凸が大きい目頭及び目尻にあるまつ毛や、下まつ毛に対しても容易に細かい化粧操作をすることができる。
【０１４３】
かくするにつき、シャフト３及びブラシ本体４Ａ及び４Ｂ従って液塗布構造子１０Ｅを全体として細目に構成したことにより、鏡写りの邪魔にならないようにすることができる。
【０１４４】
（３−７）第７の実施例
図１９において、１Ｊ７は第３の実施の形態の第７の実施例による液塗布部を示し、図１３との対応部分に同一符号を付して示すように、シャフト３の先端に１対のブラシ本体４Ａ及び４Ｂを有する液塗布構造子１０Ｆが固着されている。
【０１４５】
当該１対のブラシ本体４Ａ及び４Ｂは、シャフト３の中心線を挟んで先端方向に行くに従って互いに対向しながら順次外側及び内側に湾曲するようなひょうたん型形状を有する。
【０１４６】
そのうちブラシ本体４Ａ及び４Ｂの芯材５Ａ及び５Ｂはそれぞれシャフト３の表面から前方に突出すると横方向に外側に湾曲する第１芯材外側湾曲部５Ａ１１及び５Ｂ１１を通って内側に湾曲する芯材内側湾曲部５Ａ１２及び５Ｂ１２に続き、その先端側に再度外側に湾曲する第２芯材外側湾曲部５Ａ１３及び５Ｂ１３に続いている。
【０１４７】
かくしてブラシ本体４Ａ及び４Ｂの芯材５Ａ及び５Ｂは全体としてひょうたん型の形状をもつことにより、第１芯材外側湾曲部５Ａ１１及び５Ｂ１１間に広い空所をもつと共に、その先端側に第２芯材外側湾曲部５Ａ１３及び５Ｂ１３間に大きい空所を形成する。
【０１４８】
この芯材５Ａ及び５Ｂによって形成されたひょうたん形状に従って、第１芯材外側湾曲部５Ａ１１及び５Ｂ１１の毛材６Ａ及び６Ｂによって外側に湾曲するように第１毛材外側湾曲部６Ａ１１及び６Ｂ１１が形成されると共に、その先端の芯材内側湾曲部５Ａ１２及び５Ｂ１２の毛材６Ａ及び６Ｂでなる毛材内側湾曲部６Ａ１２及び６Ｂ１２が形成されると共に、さらにその先端側に第２芯材外側湾曲部５Ａ１３及び５Ｂ１３の毛材６Ａ及び６Ｂでなる第２毛材外側湾曲部６Ａ１３及び６Ｂ１３が形成される。
【０１４９】
かくしてブラシ本体４Ａ及び４Ｂの毛材６Ａ及び６Ｂは全体としてひょうたん型の形状を形成する。
【０１５０】
芯材５Ａ及び５Ｂの先端部は横方向に内側に折り曲げられて芯材曲がり部５Ａ１４及び５Ｂ１４を形成し、これによりその毛材６Ａ及び６Ｂでなる毛材曲がり部６Ａ１４及び６Ｂ１４が形成される。
【０１５１】
図１９の構成において、シャフト３及び液塗布構造子１０Ｆが塗布液容器Ｒ２から引き出されたとき、シャフト３に付着した塗布液がしごき部材Ｒ７のしごき孔によってしごき落とされた後、液塗布構造子１０Ｆの芯材５Ａ及び５Ｂがしごき部材Ｒ７のしごき孔を通過するときこれを押し拡げることにより、毛材６Ａ及び６Ｂの外側に付着している塗布液がしごき孔によってしごき落とされる。
【０１５２】
これに対して、第１毛材外側湾曲部６Ａ１１及び６Ｂ１１間及び第２毛材外側湾曲部６Ａ１３及び６Ｂ１３間の空所に溜まった塗布液は、しごき孔が届かないことによりしごき落とされずに残った状態になる。
【０１５３】
また毛材内側湾曲部６Ａ１２及び６Ｂ１２の外側にある窪み形状の空所の塗布液もしごき残されずに残る。
【０１５４】
このようにして液塗布構造子１０Ｆにおいてしごき残された塗布液が液塗布容器Ｒ２から外部に取り出される。
【０１５５】
図１９の構成によれば、ひょうたん形状を形成するブラシ本体４Ａ及び４Ｂは細目に構成されていることにより、使用者はまつ毛に対して丁寧な化粧操作をすることができる。
【０１５６】
これと共に、ひょうたん形状を有する毛材６Ａ及び６Ｂ間にはしごき残された多量の塗布液が溜まっていることにより、使用者はこれを用いてボリューム塗り化粧操作をすることができる。
【０１５７】
これに加えて液塗布構造子１０Ｆの先端には横方向に横切るように毛材曲がり部６Ａ１４及び６Ｂ１４が形成されていることにより、使用者はシャフト３及び液塗布構造子１０Ｆをまつ毛に対して縦方向に構えて化粧操作をすることにより、目頭及び目尻や、下まつ毛のように凹凸が激しい部位にあるまつ毛に対して容易に細い化粧操作をすることができる。
【０１５８】
かくするにつき、シャフト３及びブラシ本体４Ａ及び４Ｂ従って液塗布構造子１０Ｆを全体として細目に構成したことにより、鏡写りの邪魔にならないようにすることができる。
【０１５９】
（３−８）第８の実施例
図２０において、１Ｊ８は第３の実施の形態の第８の実施例による液塗布部を示し、図１３との対応部分に同一符号を付して示すように、シャフト３の先端にらせん構造の１対のブラシ本体４Ａ及び４Ｂを有する液塗布構造子１０Ｇが設けられている。
【０１６０】
ブラシ本体４Ａ及び４Ｂは、芯材５Ａ及び５Ｂとして、シャフト３の先端面に固着された芯線らせん形状部５Ａ２１及び５Ｂ２１を有する。
【０１６１】
芯線らせん形状部５Ａ２１及び５Ｂ２１はシャフト３の中心線を中心として順次交互にらせん形状を描くように成形されている。
【０１６２】
この結果、芯線らせん形状部５Ａ２１及び５Ｂ２１の毛材６Ａ及び６Ｂの毛は、芯線らせん形状部５Ａ２１及び５Ｂ２１の曲がり形状に従って、外方に拡がった状態で、シャフト３の中心線を中心として交互にらせん形状を描く毛材らせん形状部６Ａ２１及び６Ｂ２１を構成している。
【０１６３】
図２０の構成において、シャフト３及び液塗布構造子１０Ｇを液塗布容器Ｒ２から引き抜くと、しごき部材Ｒ７はシャフト３に付着した塗布液をしごき落とした後、毛材らせん形状部６Ａ２１及び６Ｂ２１がしごき部材Ｒ７のしごき孔を通過するとき、当該毛材らせん形状部６Ａ２１及び６Ｂ２１の外側部分に沿って当該外側に付着した塗布液をしごき落とす。
【０１６４】
このとき毛材らせん形状部６Ａ２１及び６Ｂ２１の内側の空所にはしごき部材Ｒ７のしごき孔が届かないことにより、毛材らせん形状部６Ａ２１及び６Ｂ２１の内部に形成されている空所には、しごき部材Ｒ７によってしごき落とされない塗布液が溜まった状態で外部に取り出される。
【０１６５】
図２０の構成によれば、毛材らせん形状部６Ａ２１及び６Ｂ２１を構成する毛材６Ａ及び６Ｂが細目に構成されていることにより、使用者は当該毛材らせん形状部６Ａ２１及び６Ｂ２１の短い毛を用いて一本一本のまつ毛に対して丁寧な化粧操作をすることができる。
【０１６６】
また、毛材らせん形状部６Ａ２１及び６Ｂ２１の内側には多量の塗布液が溜まっていることにより、使用者はこれを用いてボリューム塗り化粧操作をすることができる。
【０１６７】
かくするにつき、シャフト３及びブラシ本体４Ａ及び４Ｂ従って液塗布構造子１０Ｇを全体として細目に構成したことにより、鏡写りの邪魔にならないようにすることができる。
【０１６８】
（４）第４の実施の形態
（４−１）第１の実施例
図２１において、１Ｋ１は第４の実施の形態の第１の実施例による液塗布部を示し、図１４との対応部分に同一符号を付して示すように、細目のシャフト３の先端に、細目の一対のブラシ本体４Ａ及び４Ｂを有する液塗布構造子１２Ａが設けられている。
【０１６９】
一対のブラシ本体４Ａ及び４Ｂはシャフト３の先端からその中心線を挟んで互いに対向しながら前方に突出する一対の芯材５Ａ及び５Ｂでなる芯材直線部５Ａ１及び５Ｂ１を有する。
【０１７０】
当該一対の芯材直線部５Ａ１及び５Ｂ１間の空所には、これを直角方向に横切るような位置に、のこぎり板でなる一対のしごき孔拡張板１３Ｌ１及び１３Ｌ２が、芯材直線部５Ａ１及び５Ｂ１間の空所を挟んで互いに対向するように、シャフト３の先端と芯材直線部５Ａ１及び５Ｂ１の先端に取り付けられた支持部材１４との間に支持されている。
【０１７１】
図２１の構成において、シャフト３及び液塗布構造子１２Ａを塗布液容Ｒ２から引き抜いたとき、シャフト３に付着した塗布液がしごき部材Ｒ７のしごき孔によってしごき落とされた後、液塗布構造子１２Ａがしごき部材Ｒ７のしごき孔を通るとき、当該しごき孔をしごき孔拡張板１３Ｌ及び１３Ｒが押し拡げることにより、一対の芯材直線部５Ａ１及び５Ｂ１の毛材６Ａ１及び６Ｂ１間ないしその周囲の一部にしごき孔のしごきが届かない空所を形成する。
【０１７２】
かくして毛材直線部６Ａ１及び６Ｂ１の周りには、多量の塗布液がしごき残された状態で、塗布液容器Ｒ２から外部に取り出される。
【０１７３】
図２１の構成によれば、ブラシ本体４Ａ及び４Ｂが細目の芯材５Ａ及び５Ｂ並びに毛材６Ａ及び６Ｂによって構成されていることにより、当該細いブラシ本体４Ａ及び４Ｂの短い毛によって使用者はまつ毛一本一本について丁寧な化粧操作をすることができる。
【０１７４】
これと共に、一対のしごき孔拡張板１３Ｌ及び１３Ｒによって毛材直線部６Ａ１及び６Ｂ１の周りに多量の塗布液がしごき落とされずに溜まっていることにより、これを用いて使用者がボリューム塗り化粧操作をすることができる。
【０１７５】
かくするにつき、シャフト３、ブラシ本体４Ａ及び４Ｂ、しごき孔拡張部材１３Ｌ１及び１３Ｌ２、従って液塗布構造子１２Ａが細目構造に構成されていることにより、鏡写りの邪魔にならないようにできる。
【０１７６】
（４−２）第２の実施例
図２１において、１Ｋ２は第４の実施の形態の第２の実施例による液塗布部を示し、図２１との対応部分に同一符号を付して示すように、シャフト３の先端に、一対のブラシ本体４Ａ及び４Ｂを有する液塗布構造子１２Ｂを設ける。
【０１７７】
図２１の場合は、一対のしごき孔拡張部材１３Ｌ１及び１３Ｌ２を設けたのに対して、図２２の場合は、ブラシ本体４Ａ及び４Ｂの周囲の角等隙間を保つ位置に４つのしごき孔拡張部材１３Ｌ１１、１３Ｌ１２、１３Ｌ１３及び１３Ｌ１４を設けた点が相違している。
【０１７８】
図２２の構成によれば、塗布液容器Ｒ２からシャフト３及び塗布液構造子１２Ｂを引き抜く際に、塗布液構造子１２Ｂがしごき部材Ｒ７のしごき孔を通過する際、ブラシ本体４Ａ及び４Ｂの周囲に設けられた４つのしごき孔拡張部材１３Ｌ１１〜１３Ｌ１４がしごき孔を押し拡げることにより、ブラシ本体４Ａ及び４Ｂの周囲にさらに大きなしごき孔が届かない空所が形成されることにより、図２１の場合と比較してさらに多量の塗布液をしごき残すことができる。
【０１７９】
従って図２２の構成によれば、ユーザはさらに多量の塗布液によってまつ毛に対するボリューム塗り化粧操作をすることができる。
【０１８０】
（４−３）変形例
図２１及び図２２において、のこぎり板状のしごき孔拡張部材をそれぞれ２枚及び４枚設けた場合について述べたが、これに代え、８枚のしごき孔拡張部材をブラシ本体４Ａ及び４Ｂの周囲に設けるようにしても、上述の場合と同様に多量の塗布液をしごき残すことができる。
【０１８１】
また図２１及び図２２の実施例の場合には、しごき孔拡張部材としてのこぎり板形状のものを用いたが、これに代え櫛歯形状のものを用いても同様の効果を得ることができる。
【０１８２】
（５）第５の実施の形態
（５−１）第１の実施例
図２３において、１Ｍ１は第５の実施の形態の第１の実施例による液塗布部を示し、この場合シャフト３の先端に設けられている液塗布構造子２１Ａは、２本の液塗布部材２２Ａ及び２２Ｂがシャフト３の中心線に沿ってほぼ平行に突出した構造を有する。
【０１８３】
液塗布部材２２Ａは図３について上述した細目のブラシ本体４でなり、芯材５によって構成された芯材直線部５Ｙ１の毛材６によって毛材直線部６Ｙ１が形成されている。
【０１８４】
これに対して、液塗布部材２２Ｂは合成樹脂材料でなる細目の棒状の塗布部本体２３Ａを有し、当該塗布部本体２３Ａの外周面にその長手方向に順次並ぶように複数の円環状の液溜め用溝２３Ｂが形成されている。
【０１８５】
この実施の形態の場合、しごき部材Ｒ７のしごき孔は、２本の塗布液部材２２Ａ及び２２Ｂをしごくのに適した大きさに選定され、これにより当該しごき孔をシャフト３及び液塗布構造子２１Ａを通るとき、しごき孔を押し拡げた状態で塗布液をしごき落とされるようになされている。
【０１８６】
図２３の構成において、シャフト３及び液塗布構造子２１Ａを塗布液容器Ｒ２から引き抜くとき、シャフト３に付着している塗布液及び液塗布部材２２Ａの芯材直線部５Ｙ１及び液塗布部材２２Ｂの塗布部本体２３Ａの外側部に付着している塗布液がしごき落とされる。
【０１８７】
このときブラシ本体４の塗布液本体２３Ａ側の毛材６と、毛材直線部６Ｙ１と、液塗布部本体２３Ａとの間の空所と、液塗布部本体２３Ａの外周に形成されている液溜め用溝２３Ｂにある塗布液は、しごき孔が届かないためにしごき落とされずに溜まった状態で外部に取り出される。
【０１８８】
図２３の構成によれば、液塗布部材２２Ａ及び２２Ｂを形成するブラシ本体４及び液塗布本体２３Ａが細目に構成されていることにより
、使用者がまつ毛一本一本に対して丁寧な化粧操作をすることができる。
【０１８９】
これに加えて毛材直線部６Ｙ１と液塗布具本体２３Ａ間の空所に溜まっている塗布液と、液溜め用溝２３Ｂに溜まっている塗布液とによって、使用者はまつ毛に対してボリューム塗り化粧操作をすることができる。
【０１９０】
かくするにつき、シャフト３及び液塗布部材２２Ａ及び２２Ｂが細目構造に構成されていることにより、鏡写りの邪魔をしないようにすることができる。
【０１９１】
（５−２）第２の実施例
図２４において、１Ｍ２は第５の実施の形態の第２の実施例による液塗布部を示し、図２３との対応部分に同一符号を付して示すように、シャフト３の先端に取り付けられた液塗布構造子２１Ｂは、一対の液塗布部材２２Ｂ及び２２Ｃを有する。
【０１９２】
当該液塗布部材２２Ｂ及び２２Ｃは図２３の液塗布部材２２Ｂと同様の構成を有し、それぞれ棒状の塗布部本体２３Ａ１及び２３Ａ２の周囲に複数の液溜用溝２２Ｂ１及び２２Ｂ２が設けられている。
【０１９３】
液塗布部材２２Ｂ及び２２Ｃはシャフト３の中心線に沿って互いに平行な状態でシャフト３から突出している。
【０１９４】
図２４の構成において、シャフト３及び液塗布構造子２１Ｂが塗布液容器Ｒ２から引き抜かれる際に、しごき孔によってシャフト３に付着した塗布液及び液塗布具本体２３Ａ１及び２３Ａ２の外側の塗布液がしごき落とされる。
【０１９５】
このとき、塗布部本体２３Ａ１及び２３Ａ２の液溜め用溝２２Ｂ１及び２２Ｂ２に溜まった塗布液と、塗布部本体２３Ａ１及び２３Ａ２間の空所に溜まった塗布液はしごき部材Ｒ７のしごき孔が届かないことによりしごき落とされずに残って外部に取り出される。
【０１９６】
図２４の構成によれば、シャフト３及び塗布部本体２３Ａ１及び２３Ａ２を細目に構成しているにもかかわらず、多量の塗布液を溜めた状態で外部に取り出すことができることにより、使用者は全体として細目構造の液塗布構造子２１Ｂによって一本一本の毛に対して細かい化粧操作をすることができる。
【０１９７】
これと共に、多量の塗布液を溜めた状態で外部に取り出すことができることにより使用者がボリューム塗り化粧操作をすることができる。
【産業上の利用可能性】
【０１９８】
本発明は使用者が化粧操作をする際に用いる液塗布具に利用することができる。
【符号の説明】
【０１９９】
Ｒ１……液塗布具、Ｒ２……塗布液容器、Ｒ３……取出口、Ｒ４……キャップ、Ｒ５……シャフト、Ｒ６……ブラシ本体、Ｒ６Ａ……ブラシ毛材、Ｒ７……しごき部材、１、１Ａ〜１Ｇ、１Ｈ１〜１Ｈ２、１Ｊ１〜１Ｊ８、１Ｋ１〜１Ｋ２、１Ｍ１〜１Ｍ２……液塗布具、２……キャップ、３……シャフト、４、４Ａ〜４Ｃ……ブラシ本体、５、５Ａ〜５Ｂ……芯材、６、６Ａ〜６Ｃ……毛材。
【図１】
2012161415.tif 000003
【図２】
2012161415.tif 000004
【図３】
2012161415.tif 000005
【図４】
2012161415.tif 000006
【図５】
2012161415.tif 000007
【図６】
2012161415.tif 000008
【図７】
2012161415.tif 000009
【図８】
2012161415.tif 000010
【図９】
2012161415.tif 000011
【図１０】
2012161415.tif 000012
【図１１】
2012161415.tif 000013
【図１２】
2012161415.tif 000014
【図１３】
2012161415.tif 000015
【図１４】
2012161415.tif 000016
【図１５】
2012161415.tif 000017
【図１６】
2012161415.tif 000018
【図１７】
2012161415.tif 000019
【図１８】
2012161415.tif 000020
【図１９】
2012161415.tif 000021
【図２０】
2012161415.tif 000022
【図２１】
2012161415.tif 000023
【図２２】
2012161415.tif 000024
【図２３】
2012161415.tif 000025
【図２４】
2012161415.tif 000026